(57)【特許請求の範囲】
【請求項１】
複数種類の報知メッセージを用いて一連の情報を送信する基地局装置であって、
所定の送信周期で前記複数種類の報知メッセージを繰り返し送信する送信手段と、
前記送信手段により送信する前記複数種類の報知メッセージにおける各種類の報知メッセージの送信順序が前記送信周期の各々において同一になるように制御する制御手段と、
を具備する基地局装置。
【請求項２】
複数種類の報知メッセージを用いて一連の情報を順次送信する基地局装置であって、
所定の送信周期で前記複数種類の報知メッセージを繰り返し送信するとともに、前記送信周期に関する周期情報を送信する送信手段と、
前記送信手段における前記周期情報の送信を制御する制御手段と、
を具備する基地局装置。
【請求項３】
前記制御手段は、
前記送信周期の各々において、最初に送信される報知メッセージに対して、前記最初に送信される報知メッセージであることを示す前記周期情報を付与することにより、前記送信手段において前記最初に送信される報知メッセージと共に前記周期情報が送信されるように制御する、
請求項２記載の基地局装置。
【請求項４】
前記制御手段は、
前記送信周期の各々において、前記送信手段において前記複数種類の報知メッセージを送信する前に前記送信周期の先頭を示す前記周期情報が送信されるように制御する、
請求項２記載の基地局装置。
【請求項５】
前記制御手段は、
前記送信周期の各々において、前記送信手段において前記周期情報としてダミーの報知メッセージが送信されるように制御する、
請求項４記載の基地局装置。
【請求項６】
前記制御手段は、
送信される報知メッセージの種類を通知する前記周期情報を各報知メッセージに付与することにより、前記送信手段において各報知メッセージと共に前記周期情報が送信されるように制御する、
請求項２記載の基地局装置。
【請求項７】
前記送信手段は、
通信相手に対して報知メッセージの取得を促すページングメッセージを送信するとともに、前記複数種類の報知メッセージを送信している最中に前記一連の情報の追加または更新がなされた場合には、前記追加または更新された情報を報知する新たな報知メッセージを送信し、
前記制御手段は、
前記送信手段において前記新たな報知メッセージの取得を促す前記ページングメッセージが送信されるように制御する、
請求項１から請求項６のいずれかに記載の基地局装置。
【請求項８】
所定の送信周期で複数種類の報知メッセージが繰り返し送信される際に、前記送信周期の各々において各種類の報知メッセージの送信順序が同一になるように送信された前記複数種類の報知メッセージを受信して、前記複数種類の報知メッセージに含まれる一連の情報を取得する通信端末装置であって、
前記複数種類の報知メッセージを受信する受信手段と、
前記受信手段により受信した前記複数種類の報知メッセージにおける各種類の報知メッセージの受信順序に基づいて前記送信周期を認識し、認識した前記送信周期内に送信された前記複数種類の報知メッセージの受信が完了した際に、前記受信手段における前記複数種類の報知メッセージの受信を停止するように制御する制御手段と、
を具備する通信端末装置。
【請求項９】
複数種類の報知メッセージを用いて一連の情報を順次送信する基地局装置における報知方法であって、
所定の送信周期の間に前記複数種類の報知メッセージを順次送信するステップと、
送信する前記複数種類の報知メッセージにおける各種類の報知メッセージの送信順序が前記送信周期の各々において同一になるように制御するステップと、
を具備する報知方法。
【請求項１０】
複数種類の報知メッセージを用いて一連の情報を順次送信する基地局装置における報知方法であって、
所定の送信周期の間に前記複数種類の報知メッセージを順次送信するとともに、前記送信周期に関する周期情報を送信するステップと、
前記周期情報の送信を制御するステップと、
を具備する報知方法。
【請求項１１】
所定の送信周期で複数種類の報知メッセージが繰り返し送信される際に、前記送信周期の各々において各種類の報知メッセージの送信順序が同一になるように送信された前記複数種類の報知メッセージを受信して、前記複数種類の報知メッセージに含まれる一連の情報を取得する受信方法であって、
前記複数種類の報知メッセージを受信するステップと、
受信した前記複数種類の報知メッセージにおける各種類の報知メッセージの受信順序に基づいて前記送信周期を認識し、認識した前記送信周期内に送信された前記複数種類の報知メッセージの受信が完了した際に、前記複数種類の報知メッセージの受信を停止するように制御するステップと、
を具備する受信方法。
【発明の詳細な説明】
【技術分野】
【０００１】
本発明は、例えば３ＧＰＰ（Third Generation Partnership Project）で標準化されているＣＭＡＳ(Commercial Mobile Alert System)に適用される基地局装置、通信端末装置、報知方法及び受信方法に関する。
【背景技術】
【０００２】
米国向けの携帯網緊急警報システムであるＣＭＡＳが、３ＧＰＰリリース９の機能として規格標準化されている（例えば、非特許文献１及び非特許文献２）。ＣＭＡＳは、政府機関が発行するＣＭＡＳメッセージ（以下、「警報メッセージ」と記載する）をＬＴＥ（Long Term Evolution）、ＵＭＴＳ（Universal Mobile Telecommunication System）またはＧＳＭ（Global System for Mobile Communications）網を通じて配信するシステムである。ＣＭＡＳは、大統領からのメッセージ、生命の安全に対する脅威に関する警報または行方不明の子供に関する情報等の即時性を求められない情報を、商用携帯端末に配信することを可能とするシステムである。
【０００３】
ＬＴＥ網において、警報メッセージ（Warning message）の配信を開始する場合、基地局装置は、システム情報ブロックタイプ１２（以下「ＳＩＢ１２」と記載する）を用いて警報メッセージの報知を開始する。基地局装置は、ＣＭＡＳによる報知を開始したことを示す情報（cmas-Indication）を含むページング（Paging）メッセージを報知することにより、通信端末装置に対して警報メッセージの受信を促す。基地局装置は、システム情報ブロックタイプ１（以下、「ＳＩＢ１」と記載する）を用いて、ＳＩＢ１２が報知されていること、また、ＳＩＢ１２を報知している場合にはＳＩＢ１２の受信タイミングを報知する。
【０００４】
ＳＩＢ１２では、複数種類の警報メッセージを識別するメッセージ識別子（messageIdentifier）及びシリアル番号（serialNumber）も報知される。従って、通信端末装置は、メッセージ識別子及びシリアル番号に基づいて、受信した警報メッセージの種類を識別することができる。
【０００５】
１つの警報メッセージは、一つまたは複数のＳＩＢ１２に分割して送信される。ＳＩＢ１２では、セグメント番号（segmentNumber）及びセグメントタイプ（lastSegment）も報知される。従って、受信側の通信端末装置は、セグメント番号及びセグメントタイプに基づいて、１つの警報メッセージに組み上げることができる。
【０００６】
通信端末装置は、ＳＩＢ１２の受信に失敗する可能性がある。この場合、通信端末装置は、ＳＩＢ１により報知されるＳＩＢ１２のタイミング情報等から、特定のＳＩＢ１２の受信に失敗したことを検出することができる（例えば、非特許文献３）。
【０００７】
基地局装置は、警報メッセージの受信に失敗する場合、基地局装置の配下に新たに通信端末装置が遷移する場合、または基地局装置の配下で新たに通信端末装置が起動する場合を考慮し、現在配信している複数種類の警報メッセージを繰り返し報知する。
【先行技術文献】
【非特許文献】
【０００８】
【非特許文献１】"Personal Localized Alerting Network (PLAN)"、インターネット<http://www.fcc.gov/guides/personal-localized-alerting-network-plan>
【非特許文献２】3GPP TS 22.268 v9.2.1, Public Warning System (PWS) Requirements
【非特許文献３】3GPP TS 36.331 v9.7.0, RRC Protocol specification
【発明の概要】
【発明が解決しようとする課題】
【０００９】
しかしながら、従来のシステムにおいては、配信されている全ての種類の警報メッセージの受信が完了したか否かを受信側において判断することはできない。従って、受信側の通信端末装置は、基地局が警報メッセージを配信している間、繰り返し警報メッセージの受信を試みることとなり、通信端末装置における電池の消費量が増大するという問題がある。
【００１０】
本発明の目的は、配信されている全ての種類の警報メッセージの受信が完了したか否かを受信側において判断することができ、受信側の電池の消費量を抑制することができる基地局装置、通信端末装置、報知方法及び受信方法を提供することである。
【課題を解決するための手段】
【００１１】
本発明の基地局装置は、複数種類の報知メッセージを用いて一連の情報を送信する基地局装置であって、所定の送信周期で前記複数種類の報知メッセージを繰り返し送信する送信手段と、前記送信手段により送信する前記複数種類の報知メッセージにおける各種類の報知メッセージの送信順序が前記送信周期の各々において同一になるように制御する制御手段と、を具備する構成を採る。
【００１２】
また、本発明の基地局装置は、複数種類の報知メッセージを用いて一連の情報を順次送信する基地局装置であって、所定の送信周期で前記複数種類の報知メッセージを繰り返し送信するとともに、前記送信周期に関する周期情報を送信する送信手段と、前記送信手段における前記周期情報の送信を制御する制御手段と、を具備する構成を採る。
【００１３】
本発明の通信端末装置は、所定の送信周期で複数種類の報知メッセージが繰り返し送信される際に、前記送信周期の各々において各種類の報知メッセージの送信順序が同一になるように送信された前記複数種類の報知メッセージを受信して、前記複数種類の報知メッセージに含まれる一連の情報を取得する通信端末装置であって、前記複数種類の報知メッセージを受信する受信手段と、前記受信手段により受信した前記複数種類の報知メッセージにおける各種類の報知メッセージの受信順序に基づいて前記送信周期を認識し、認識した前記送信周期内に送信された前記複数種類の報知メッセージの受信が完了した際に、前記受信手段における前記複数種類の報知メッセージの受信を停止するように制御する制御手段と、を具備する構成を採る。
【００１４】
本発明の報知方法は、複数種類の報知メッセージを用いて一連の情報を順次送信する基地局装置における報知方法であって、所定の送信周期の間に前記複数種類の報知メッセージを順次送信するステップと、送信する前記複数種類の報知メッセージにおける各種類の報知メッセージの送信順序が前記送信周期の各々において同一になるように制御するステップと、を具備するようにした。
【００１５】
また、本発明の報知方法は、複数種類の報知メッセージを用いて一連の情報を順次送信する基地局装置における報知方法であって、所定の送信周期の間に前記複数種類の報知メッセージを順次送信するとともに、前記送信周期に関する周期情報を送信するステップと、前記周期情報の送信を制御するステップと、を具備するようにした。
【００１６】
本発明の受信方法は、所定の送信周期で複数種類の報知メッセージが繰り返し送信される際に、前記送信周期の各々において各種類の報知メッセージの送信順序が同一になるように送信された前記複数種類の報知メッセージを受信して、前記複数種類の報知メッセージに含まれる一連の情報を取得する受信方法であって、前記複数種類の報知メッセージを受信するステップと、受信した前記複数種類の報知メッセージにおける各種類の報知メッセージの受信順序に基づいて前記送信周期を認識し、認識した前記送信周期内に送信された前記複数種類の報知メッセージの受信が完了した際に、前記複数種類の報知メッセージの受信を停止するように制御するステップと、を具備するようにした。
【発明の効果】
【００１７】
本発明によれば、配信されている全ての種類の警報メッセージの受信が完了したか否かを受信側において判断することができ、受信側の電池の消費量を抑制することができる。
【図面の簡単な説明】
【００１８】
【図１】本発明の実施の形態１に係る基地局装置の構成を示すブロック図
【図２】本発明の実施の形態１における通信端末装置の構成を示すブロック図
【図３】本発明の実施の形態１における全てのＳＩＢ１２の受信に成功した場合の基地局装置及び通信端末装置の動作を示す図
【図４】本発明の実施の形態１における一部のＳＩＢ１２の受信に失敗した場合の基地局装置及び通信端末装置の動作を示す図
【図５】本発明の実施の形態１における通信端末装置の動作を示すフロー図
【図６】本発明の実施の形態２に係る基地局装置の構成を示すブロック図
【図７】本発明の実施の形態２における基地局装置及び通信端末装置の動作を示す図
【図８】本発明の実施の形態３に係る基地局装置の構成を示すブロック図
【図９】本発明の実施の形態３における基地局装置及び通信端末装置の動作を示す図
【図１０】本発明の実施の形態４に係る基地局装置の構成を示すブロック図
【図１１】本発明の実施の形態４における基地局装置及び通信端末装置の動作を示す図
【図１２】本発明の実施の形態５における基地局装置及び通信端末装置の動作を示す図
【発明を実施するための形態】
【００１９】
以下、本発明の実施の形態について、図面を参照して詳細に説明する。
【００２０】
（実施の形態１）
＜基地局装置の構成＞
図１は、本発明の実施の形態１に係る基地局装置１００の構成を示すブロック図である。なお、図１では、基地局装置１００とともに警報メッセージ配信装置１５０及び交換局装置１６０も記載する。
【００２１】
警報メッセージ発行部１７０は、警報メッセージ格納部１０１、制御部１０３及び警報メッセージ分割部１０５を有し、複数種類の警報メッセージを発行する。
【００２２】
警報メッセージ格納部１０１は、警報メッセージ配信装置１５０より交換局装置１６０を介して配信された複数種類の警報メッセージを順次格納する。ここで、複数種類の警報メッセージは、大統領からのメッセージ、生命の安全に対する脅威に関する警報または行方不明の子供に関する情報等の一連の情報を送信するために用いられるメッセージである。
【００２３】
調整部１０２は、警報メッセージ格納部１０１に格納される警報メッセージを監視して、格納された警報メッセージのメッセージ識別子及びシリアル番号を制御部１０３に通知する。
【００２４】
制御部１０３は、新たな情報を報知する際に、ページングメッセージの発行をページングメッセージ発行部１０４に要求する。例えば、制御部１０３は、大統領からのメッセージを報知した後に行方不明の子供に関する情報を報知する際に、行方不明の子供に関する情報の報知を開始する前に、ページングメッセージの発行をページングメッセージ発行部１０４に要求する。
【００２５】
制御部１０３は、調整部１０２からの通知に基づいて、警報メッセージ格納部１０１に格納されている警報メッセージを所定の順番で１つずつ取り出す。具体的には、制御部１０３は、調整部１０２から通知されたメッセージ識別子及びシリアル番号を参照して、各種類の警報メッセージの送信順序が送信周期の各々において同一になるように、予め決められた順番で警報メッセージを取り出す。なお、各種類の警報メッセージの送信順序については後述する。
【００２６】
制御部１０３は、取り出した警報メッセージのデータサイズに応じて、警報メッセージを分割するか否かを判定する。制御部１０３は、分割すると判定した場合には、取り出した警報メッセージを警報メッセージ分割部１０５に出力する。制御部１０３は、分割しないと判定した場合には、取り出した警報メッセージを報知情報送信部１０６に出力する。制御部１０３は、警報メッセージ格納部１０１に格納されている警報メッセージを所定の順番で繰り返し取り出して、上記の処理を繰り返し行う。
【００２７】
ページングメッセージ発行部１０４は、制御部１０３の要求に応じて、警報メッセージの配信を示すフラグ（cmas-Indication）を設定したページングメッセージを送信部１０７に出力する。ここで、ページングメッセージは、通信端末装置に対して警報メッセージの取得を促すメッセージである。
【００２８】
警報メッセージ分割部１０５は、制御部１０３から入力した警報メッセージを分割して報知情報送信部１０６に出力する。なお、本実施の形態における以下の説明において、分割してない警報メッセージと分割した警報メッセージの双方を単に「警報メッセージ」と記載する。
【００２９】
報知情報送信部１０６は、制御部１０３から入力した警報メッセージまたは警報メッセージ分割部１０５から入力した警報メッセージを含むＳＩＢ１２を生成し、生成したＳＩＢ１２を送信部１０７に出力する。
【００３０】
送信部１０７は、ページングメッセージ発行部１０４から入力したページングメッセージまたは報知情報送信部１０６から入力したＳＩＢ１２を含む信号から無線信号を生成し、生成した無線信号をアンテナ１０８に出力する。
【００３１】
アンテナ１０８は、送信部１０７から入力した無線信号を送信する。
【００３２】
＜通信端末装置の構成＞
図２は、本発明の実施の形態１における通信端末装置２００の構成を示すブロック図である。
【００３３】
警報メッセージ受信部２７０は、警報メッセージ組立部２０５及び制御部２０６を有し、受信した警報メッセージの組み立てを行う。
【００３４】
アンテナ２０１は、受信した信号を受信部２０２に出力する。
【００３５】
受信部２０２は、アンテナ２０１から入力した受信信号からページングメッセージまたは報知情報を抽出し、抽出したページングメッセージをページングメッセージ受信部２０３に出力し、抽出した報知情報を報知情報受信部２０４に出力する。
【００３６】
ページングメッセージ受信部２０３は、受信部２０２から入力した信号にページングメッセージが含まれている場合に、ページングメッセージを取得したことを制御部２０６に通知する。
【００３７】
報知情報受信部２０４は、制御部２０６の指示により、受信部２０２から入力した報知情報に含まれるＳＩＢ１２の取得を開始する。報知情報受信部２０４は、ＳＩＢ１２の取得を開始した後に、ＳＩＢ１２の受信の成功または失敗を判定し、判定結果を制御部２０６に出力する。この際、報知情報受信部２０４は、ＳＩＢ１２に含まれるメッセージ識別子及びシリアル番号も制御部２０６に出力する。報知情報受信部２０４は、ＳＩＢ１２の受信に成功したと判定した場合には、取得したＳＩＢ１２を警報メッセージ組立部２０５に出力する。報知情報受信部２０４は、制御部２０６の指示に従ってＳＩＢ１２の取得を停止する。
【００３８】
警報メッセージ組立部２０５は、報知情報受信部２０４から入力したＳＩＢ１２に含まれる警報メッセージを取り出して、ＳＩＢ１２に含まれるセグメント番号及びセグメントタイプに基づいて警報メッセージの組み立てを行う。警報メッセージ組立部２０５は、警報メッセージの組み立てが完了した場合には、組み立てた警報メッセージを警報メッセージ表示部２０７及び制御部２０６に出力する。
【００３９】
制御部２０６は、ページングメッセージ受信部２０３よりページングメッセージの取得の通知を受けた場合に、ＳＩＢ１２の取得の開始を報知情報受信部２０４に指示する。制御部２０６は、報知情報受信部２０４から入力したメッセージ識別子及びシリアル番号に基づいて、１送信周期が経過したか否かを判定する。具体的には、制御部２０６は、既に取得済みの警報メッセージと同じ種類の警報メッセージを取得した際に、１送信周期が経過したものと判定する。なお、１送信周期が経過したか否かの判定方法は後述する。
【００４０】
制御部２０６は、１送信周期が経過したものと判定した場合には、報知情報受信部２０４から入力した判定結果、メッセージ識別子及びシリアル番号に基づいて、全ての種類の警報メッセージの取得が完了したか否かを判定する。制御部２０６は、全ての種類の警報メッセージの取得が完了したと判定した場合には、警報メッセージ組立部２０５から組み立て完了の通知を受けて、報知情報受信部２０４に対してＳＩＢ１２の取得の停止を指示する。なお、全ての種類の警報メッセージを取得したか否かの判定方法については後述する。
【００４１】
警報メッセージ表示部２０７は、警報メッセージ組立部２０５から入力した警報メッセージを表示する。
【００４２】
＜基地局装置及び通信端末装置の動作＞
図３は、全てのＳＩＢ１２の受信に成功した場合の基地局装置１００及び通信端末装置２００の動作を示す図である。図４は、一部のＳＩＢ１２の受信に失敗した場合の基地局装置１００及び通信端末装置２００の動作を示す図である。なお、図３及び図４において、基地局装置１００をｅＮＢと記載し、通信端末装置２００をＵＥと記載する。
【００４３】
最初に、全てのＳＩＢ１２の受信に成功した場合の基地局装置１００及び通信端末装置２００の動作について、図３を用いて説明する。
【００４４】
図３より、まず、基地局装置１００は、警報メッセージの配信を開始する（Start transmitting Warning message）（ステップＳＴ３０１）。
【００４５】
また、基地局装置１００のページングメッセージ発行部１０４は、ページングメッセージを発行し、基地局装置１００は、ページングメッセージを送信する（Paging（cmas-Indication)）（ステップＳＴ３０２）。
【００４６】
通信端末装置２００は、ページングメッセージを受信し、通信端末装置２００のページングメッセージ受信部２０３は、ページングメッセージを取得したことを制御部２０６に通知する。これにより、通信端末装置２００の制御部２０６は、ＳＩＢ１２の取得の開始を報知情報受信部２０４に指示し、通信端末装置２００の報知情報受信部２０４は、警報メッセージの取得を開始する（Start receiving Warning message）（ステップＳＴ３０３）。
【００４７】
次に、基地局装置１００の報知情報送信部１０６は、警報メッセージ発行部１７０により発行された警報メッセージを含むＳＩＢ１２を生成し、基地局装置１００は、ＳＩＢ１２を送信する。
【００４８】
この際、ＳＩＢ１２により警報メッセージ１（Warning message 1）〜警報メッセージ４（Warning message 4）の４種類の警報メッセージが送信される。これらの４種類の警報メッセージを用いて、一連の情報が送信される。
【００４９】
基地局装置１００の制御部１０３は、警報メッセージ２（Warning message 2）、警報メッセージ３（Warning message 3）、警報メッセージ４、警報メッセージ１の順番で警報メッセージ格納部１０１から警報メッセージを取り出す。この際、制御部１０３は、メッセージ識別子が「１」かつシリアル番号が「１」である警報メッセージを警報メッセージ２として取り出す。また、制御部１０３は、メッセージ識別子が「２」かつシリアル番号が「１」である警報メッセージを警報メッセージ３として取り出す。制御部１０３は、警報メッセージ１、４についても同様にメッセージ識別子及びシリアル番号に基づいて取り出す。
【００５０】
これにより、基地局装置１００は、警報メッセージ２、警報メッセージ３、警報メッセージ４、警報メッセージ１の順番で送信する（ステップＳＴ３０４〜ステップＳＴ３０７）。基地局装置１００は、各送信周期Ｔ１において、各種類の警報メッセージの送信順序が同一になるように送信するので、ステップＳＴ３０７以降も警報メッセージ２、警報メッセージ３、警報メッセージ４、警報メッセージ１の順番で送信する。ここで、警報メッセージ２の送信を開始してから警報メッセージ１の送信が終了するまで（ステップＳＴ３０４〜ステップＳＴ３０７）が１送信周期Ｔ１である。
【００５１】
通信端末装置２００は、警報メッセージ２、警報メッセージ３、警報メッセージ４、警報メッセージ１の順番で順次受信する（ステップＳＴ３０８〜ステップＳＴ３１１）。
【００５２】
そして、基地局装置１００は、警報メッセージ２を再び送信し（ステップＳＴ３１２）、通信端末装置２００は、警報メッセージ２を受信する（ステップＳＴ３１３）。
【００５３】
この際、通信端末装置２００の制御部２０６は、ステップＳＴ３０８において警報メッセージ２を既に取得しているので、１送信周期Ｔ１が経過したことを認識することができる。
【００５４】
従って、通信端末装置２００の制御部２０６は、警報メッセージの取得を停止するように報知情報受信部２０４に指示する（Stop receiving Warning message）（ステップＳＴ３１４）。
【００５５】
次に、一部のＳＩＢ１２の受信に失敗した場合の基地局装置１００及び通信端末装置２００の動作について、図４を用いて説明する。なお、図４において、図３と同一動作である部分については同一符号を付して、その説明を省略する。
【００５６】
図４の場合、ＳＩＢ１２により警報メッセージ１〜警報メッセージ４の４種類の警報メッセージが送信される。
【００５７】
ステップＳＴ３０３の後、基地局装置１００の制御部１０３は、警報メッセージ２、警報メッセージ３、警報メッセージ４、警報メッセージ１の順番で警報メッセージ格納部１０１から警報メッセージを取り出す。これにより、基地局装置１００は、警報メッセージ２、警報メッセージ３、警報メッセージ４、警報メッセージ１の順番で送信する（ステップＳＴ４０１〜ステップＳＴ４１０）。基地局装置１００は、各送信周期Ｔ２において同一の送信順序で各警報メッセージを送信するので、ステップＳＴ４０１〜ステップＳＴ４０４及びステップＳＴ４０５〜ステップＳＴ４０８において、警報メッセージ２、警報メッセージ３、警報メッセージ４、警報メッセージ１の順番で送信する。ここで、警報メッセージ２の送信を開始してから警報メッセージ１の送信が終了するまで（ステップＳＴ４０１〜ステップＳＴ４０４、ステップＳＴ４０５〜ステップＳＴ４０８）を１送信周期Ｔ２とする。
【００５８】
この際、通信端末装置２００は、ステップＳＴ４０１、ステップＳＴ４０４及びステップＳＴ４０７〜ステップＳＴ４１０において送信された各警報メッセージの受信に成功するものの（ステップＳＴ４１１〜ステップＳＴ４１６）、伝搬環境の劣化等によりステップＳＴ４０２、ステップＳＴ４０３、ステップＳＴ４０５及びステップＳＴ４０６において送信された警報メッセージの受信に失敗する。
【００５９】
このような状況において、通信端末装置２００の制御部２０６は、各種類の警報メッセージの送信順序が送信周期Ｔ２の各々において同一であるため、ステップＳＴ４１２において警報メッセージ１を受信した後に、ステップＳＴ４１４において再び警報メッセージ１を受信することにより、１送信周期Ｔ２が経過したことを認識することができる。制御部２０６は、取得に失敗した警報メッセージがあるか否かを判定し（Check if the UE has missing message）（ステップＳＴ４１７）、受信に失敗した警報メッセージがあれば警報メッセージの取得を継続する（Continue to receive message (if missing)）（ステップＳＴ４１８）。
【００６０】
具体的には、制御部２０６は、ステップＳＴ４１１で警報メッセージ２を取得し、ステップＳＴ４１２及びステップＳＴ４１４で警報メッセージ１を取得し、ステップＳＴ４１３で警報メッセージ４を取得しているため、送信周期Ｔ２において４種類の警報メッセージが送信されているものと推定する（Calculate period→period=4）（ステップＳＴ４１９）。また、制御部２０６は、警報メッセージ３が欠落していることを認識することができる（Detect missing message from the stored message + period→message 3 is missing）（ステップＳＴ４２０）。従って、制御部２０６は、警報メッセージ３を取得するまで警報メッセージの取得を継続させ、メッセージ３を取得した際に（ステップＳＴ４１６）、警報メッセージの取得の停止を指示する（ステップＳＴ４２１）。
【００６１】
＜通信端末装置の動作＞
図５は、通信端末装置２００の動作を示すフロー図である。
【００６２】
図５より、まず、ページングメッセージ受信部２０３は、ページングメッセージを取得する（Received Paging with cmas-Indication）（ステップＳＴ５０１）。これにより、通信端末装置２００は、警報メッセージの取得を開始する。
【００６３】
制御部２０６は、ＳＩＢ１２の前に送信されるＳＩＢ１にＳＩＢ１２の情報が含まれているか否かを判定する（SIB12 scheduled?）（ステップＳＴ５０２）。
【００６４】
ＳＩＢ１２の情報が含まれている場合（ステップＳＴ５０２：Ｙｅｓ）には、制御部２０６は、ＳＩＢ１２の取得を報知情報受信部２０４に指示し、報知情報受信部２０４は、ＳＩＢ１２の取得を試みる（Attempt to receive SIB12）（ステップＳＴ５０３）。
【００６５】
次に、警報メッセージ組立部２０５は、取得した警報メッセージを組み立てる（Assemble CMAS notification）（ステップＳＴ５０４）。
【００６６】
次に、警報メッセージ組立部２０５は、報知情報受信部２０４により次に取得した警報メッセージが既に取得済みであるか否かを判定する（Assembled CMAS notification is previously received?）（ステップＳＴ５０５）。
【００６７】
まだ取得していない場合（ステップＳＴ５０５：Ｎｏ）には、制御部２０６は、処理をステップＳＴ５０２に戻す。
【００６８】
一方、既に取得済みの場合（ステップＳＴ５０５：Ｙｅｓ）には、制御部２０６は、報知情報受信部２０４から入力した判定結果に基づいて、欠落している警報メッセージがあるか否かを判定する（Failed to receive any SIB12?）（ステップＳＴ５０６）。
【００６９】
欠落している警報メッセージが有る場合（ステップＳＴ５０６：Ｙｅｓ）には、制御部２０６は、欠落した警報メッセージを取得するために、報知情報受信部２０４にＳＩＢ１２の取得を継続させる。これにより、報知情報受信部２０４は、ＳＩＢ１２の取得を継続する（Attempt to receive SIB12 to receive missing CMAS notification）（ステップＳＴ５０７）。
【００７０】
次に、制御部２０６は、欠落していた警報メッセージを取得し、取得した警報メッセージを上位レイヤに渡して（Deliver the received CMAS notification to upper layer）（ステップＳＴ５０８）、処理を終了する。
【００７１】
一方、ステップＳＴ５０２において、ＳＩＢ１２の情報が無い場合（ステップＳＴ５０２：Ｎｏ）、またはステップＳＴ５０６において、欠落している警報メッセージが無い場合（ステップＳＴ５０６：Ｎｏ）には、制御部２０６は、警報メッセージ組立部２０５から組み立てが完了した警報メッセージを取得し、取得した警報メッセージを上位レイヤに渡して（ステップＳＴ５０８）、処理を終了する。
【００７２】
＜本実施の形態の効果＞
本実施の形態では、各送信周期において、送信する複数種類の警報メッセージにおける各種類の警報メッセージの送信順序を同一にすることにより、配信されている全ての種類の警報メッセージの受信が完了したか否かを受信側において判断することができる。これにより、受信側において全ての種類の警報メッセージを取得した後に警報メッセージの取得を停止することにより、受信側の電池の消費量を抑制することができる。
【００７３】
（実施の形態２）
＜基地局装置の構成＞
図６は、本発明の実施の形態２に係る基地局装置６００の構成を示すブロック図である。なお、図６では、基地局装置６００とともに警報メッセージ配信装置１５０及び交換局装置１６０も記載する。
【００７４】
図６に示す基地局装置６００は、図１に示す実施の形態１に係る基地局装置１００に対して、調整部１０２を除き、フラグ付与部６０２を追加し、制御部１０３の代わりに制御部６０１を有し、警報メッセージ発行部１７０の代わりに警報メッセージ発行部６７０を有する。なお、図６において、図１と同一構成である部分には同一の符号を付してその説明を省略する。
【００７５】
警報メッセージ発行部６７０は、警報メッセージ格納部１０１、警報メッセージ分割部１０５及び制御部６０１を有し、警報メッセージを発行する。
【００７６】
制御部６０１は、新たな情報を報知する際に、ページングメッセージの発行をページングメッセージ発行部１０４に要求する。制御部６０１は、警報メッセージ格納部１０１に格納されている警報メッセージを１つずつ取り出す。制御部６０１は、取り出した警報メッセージのサイズに応じて警報メッセージを分割するか否かを判定する。制御部６０１は、分割すると判定した場合には、取り出した警報メッセージを警報メッセージ分割部１０５に出力する。制御部６０１は、分割しないと判定した場合には、取り出した警報メッセージを報知情報送信部１０６に出力する。
【００７７】
制御部６０１は、警報メッセージを分割しない場合には、各送信周期において最初に取り出した警報メッセージをフラグ付与部６０２に出力する。制御部６０１は、警報メッセージを分割する場合には、取り出した警報メッセージを警報メッセージ分割部１０５に出力する際に、各送信周期において最初に取り出した警報メッセージに対してフラグを付与することを、警報メッセージ分割部１０５に指示する。
【００７８】
制御部６０１は、警報メッセージ格納部１０１に格納されている警報メッセージを繰り返し取り出して、上記の処理を繰り返し行う。
【００７９】
ページングメッセージ発行部１０４は、制御部６０１の要求に応じて、警報メッセージの配信を示すフラグ（cmas-Indication）を設定したページングメッセージを送信部１０７に出力する。
【００８０】
警報メッセージ分割部１０５は、制御部６０１から入力した警報メッセージを分割して報知情報送信部１０６に出力する。警報メッセージ分割部１０５は、フラグを付与する指示を制御部６０１から受けた場合には、分割した警報メッセージのうち先頭の警報メッセージをフラグ付与部６０２に出力し、残りの警報メッセージを報知情報送信部１０６に出力する。なお、本実施の形態における以下の説明において、分割してない警報メッセージと分割した警報メッセージの双方を単に「警報メッセージ」と記載する。
【００８１】
フラグ付与部６０２は、制御部６０１から入力した警報メッセージまたは警報メッセージ分割部１０５から入力した警報メッセージにフラグを付与する。このフラグは、送信周期毎に、最初に送信される警報メッセージであることを示すものである。通信端末装置２００は、このフラグが送信周期毎に最初に送信される警報メッセージであることを示すものであることを知っている。フラグ付与部６０２は、フラグを付与した警報メッセージを報知情報送信部１０６に出力する。
【００８２】
報知情報送信部１０６は、制御部６０１から入力した警報メッセージ、警報メッセージ分割部１０５から入力した警報メッセージ、またはフラグ付与部６０２から入力した警報メッセージを含むＳＩＢ１２を生成し、生成したＳＩＢ１２を送信部１０７に出力する。
【００８３】
なお、本実施の形態において、通信端末装置は、報知情報受信部２０４において、フラグが付与された警報メッセージを取得したか否かを判定し、制御部２０６において、メッセージ識別子及びシリアル番号に代えて、報知情報受信部２０４から取得したフラグの有無の判定結果に基づいて、１送信周期が経過したか否かを判定する以外は図２と同一構成であるので、その説明を省略する。
【００８４】
＜基地局装置及び通信端末装置の動作＞
図７は、基地局装置６００及び通信端末装置２００の動作を示す図である。なお、図７において、基地局装置６００をｅＮＢと記載し、通信端末装置２００をＵＥと記載する。また、通信端末装置２００の説明は図２の符号を用いて行う。また、図７において、図３と同一動作である部分には同一符号を付して、その説明を省略する。
【００８５】
図７の場合、ＳＩＢ１２により警報メッセージ１〜警報メッセージ４の４種類の警報メッセージが送信される。
【００８６】
基地局装置６００の報知情報送信部１０６は、警報メッセージ発行部６７０により発行された警報メッセージを含むＳＩＢ１２を生成し、基地局装置６００は、ＳＩＢ１２を送信する。
【００８７】
基地局装置６００の制御部６０１は、警報メッセージ２、警報メッセージ４、警報メッセージ１、警報メッセージ２、・・・の順番で警報メッセージ格納部１０１から警報メッセージを取り出す。これにより、基地局装置６００は、警報メッセージ２、警報メッセージ４、警報メッセージ１、警報メッセージ２、・・・の順番で警報メッセージを送信する（ステップＳＴ７０１〜ステップＳＴ７１０）。
【００８８】
ここで、ステップＳＴ７０２において警報メッセージ４の送信を開始してからステップＳＴ７０５においてメッセージ３の送信が終了するまで、及びステップＳＴ７０６において警報メッセージ２の送信を開始してからステップＳＴ７０９においてメッセージ４の送信が終了するまでが１送信周期Ｔ３である。
【００８９】
通信端末装置２００の報知情報受信部２０４は、ステップＳＴ７０１〜ステップＳＴ７０５において送信された警報メッセージの取得を試み、警報メッセージ２、警報メッセージ４、警報メッセージ１及び警報メッセージ２を取得する（ステップＳＴ７１１〜ステップＳＴ７１４）。この際、通信端末装置２００の制御部２０６は、ステップＳＴ７１２において取得した警報メッセージ４にフラグが付与されていることにより、送信周期Ｔ３の先頭の警報メッセージであることを認識することができる。
【００９０】
続いて、通信端末装置２００の報知情報受信部２０４は、ステップＳＴ７０６において送信された警報メッセージの取得を試み、警報メッセージ２の取得に成功する（ステップＳＴ７１５）。この際、通信端末装置２００制御部２０６は、ステップＳＴ７１５において取得した警報メッセージ２にフラグが付与されていることにより、送信周期Ｔ３の先頭の警報メッセージであることを認識することができる。これより、制御部２０６は、ステップＳＴ７１２において警報メッセージ４を取得してから１送信周期Ｔ３が経過したことを認識することができる。
【００９１】
しかしながら、制御部２０６は、ステップＳＴ７１２から１送信周期Ｔ３経過する間において、欠落した警報メッセージ（ステップＳＴ７０５で送信された警報メッセージ３）があるので、報知情報受信部２０４に警報メッセージの取得を継続させる。
【００９２】
続いて、報知情報受信部２０４は、ステップＳＴ７０７〜ステップＳＴ７１０において送信された警報メッセージの取得を試み、警報メッセージ３、警報メッセージ１、警報メッセージ４、警報メッセージ３の順番で順次取得する（ステップＳＴ７１６〜ステップＳＴ７１９）。
【００９３】
この際、制御部２０６は、ステップＳＴ７１９において取得した警報メッセージ３にフラグが付与されていることにより、送信周期Ｔ３の先頭の警報メッセージであることを認識することができる。これより、制御部２０６は、ステップＳＴ７１２において警報メッセージ４を取得してから１送信周期Ｔ３が経過したことを認識することができる。
【００９４】
そして、制御部２０６は、ステップＳＴ７１５から１送信周期Ｔ３経過する間において、欠落した警報メッセージがないので、全ての種類の警報メッセージを取得したことを認識することができる。
【００９５】
従って、制御部２０６は、ＳＩＢ１２の取得を停止するように報知情報受信部２０４に指示する（ステップＳＴ７２０）。
【００９６】
＜本実施の形態の効果＞
本実施の形態によれば、各送信周期の先頭で送信する警報メッセージにフラグを付与することにより、配信されている全ての種類の警報メッセージの受信が完了したか否かを受信側において判断することができるので、受信側の電池の消費量を抑制することができる。
【００９７】
また、本実施の形態によれば、フラグを付与する極めて簡単な処理のみにより送信周期を通知するので、送信周期を通知することに伴う処理負荷の増大を抑制することができる。
【００９８】
（実施の形態３）
＜基地局装置の構成＞
図８は、本発明の実施の形態３に係る基地局装置８００の構成を示すブロック図である。
【００９９】
図８に示す基地局装置８００は、図１に示す実施の形態１に係る基地局装置１００に対して、調整部１０２を除き、ダミー警報メッセージ生成部８０２を追加し、制御部１０３の代わりに制御部８０１を有する。なお、図８において、図１と同一構成である部分には同一の符号を付してその説明を省略する。
【０１００】
警報メッセージ発行部８７０は、警報メッセージ格納部１０１、警報メッセージ分割部１０５及び制御部８０１を有し、警報メッセージを発行する。
【０１０１】
制御部８０１は、新たな情報を報知する際に、ページングメッセージの発行をページングメッセージ発行部１０４に要求する。制御部８０１は、警報メッセージ格納部１０１に格納されている警報メッセージを１つずつ取り出す。制御部８０１は、取り出した警報メッセージのサイズに応じて警報メッセージを分割するか否かを判定する。制御部８０１は、分割すると判定した場合には、取り出した警報メッセージを警報メッセージ分割部１０５に出力する。制御部８０１は、分割しないと判定した場合には、取り出した警報メッセージを報知情報送信部１０６に出力する。
【０１０２】
制御部８０１は、１送信周期毎に、最初に取り出した警報メッセージを出力する前に、ダミー警報メッセージの出力をダミー警報メッセージ生成部８０２に指示する。
【０１０３】
制御部８０１は、警報メッセージ格納部１０１に格納されている警報メッセージを繰り返し取り出して、上記の処理を繰り返し行う。
【０１０４】
ページングメッセージ発行部１０４は、制御部８０１の要求に応じて、警報メッセージの配信を示すフラグ（cmas-Indication）を設定したページングメッセージを送信部１０７に出力する。
【０１０５】
警報メッセージ分割部１０５は、制御部８０１から入力した警報メッセージを分割して報知情報送信部１０６に出力する。なお、本実施の形態における以下の説明において、分割してない警報メッセージと分割した警報メッセージの双方を単に「警報メッセージ」と記載する。
【０１０６】
ダミー警報メッセージ生成部８０２は、ダミー警報メッセージを生成する。ダミー警報メッセージ生成部８０２は、制御部８０１からの指示に従って、生成したダミー警報メッセージを報知情報送信部１０６に出力する。このダミー警報メッセージは、警報メッセージ１〜警報メッセージ４と同一のフォーマットである。ここで、ダミー警報メッセージは、各送信周期の先頭を示すものである。
【０１０７】
報知情報送信部１０６は、制御部８０１から入力した警報メッセージ、警報メッセージ分割部１０５から入力した警報メッセージまたはダミー警報メッセージ生成部８０２から入力したダミー警報メッセージを含むＳＩＢ１２を生成する。報知情報送信部１０６は、生成したＳＩＢ１２を送信部１０７に出力する。
【０１０８】
なお、本実施の形態において、通信端末装置は、報知情報受信部２０４において、ダミー警報メッセージを取得したか否かを判定し、制御部２０６において、メッセージ識別子及びシリアル番号に代えて、報知情報受信部２０４から取得したダミー警報メッセージの取得の有無に基づいて、１送信周期が経過したか否かを判定する以外は図２と同一構成であるので、その説明を省略する。
【０１０９】
＜基地局装置及び通信端末装置の動作＞
図９は、基地局装置８００及び通信端末装置２００の動作を示す図である。なお、図９において、基地局装置８００をｅＮＢと記載し、通信端末装置２００をＵＥと記載する。また、通信端末装置２００の説明は図２の符号を用いて行う。また、図９において、図３と同一動作である部分には同一符号を付して、その説明を省略する。
【０１１０】
図９の場合、ＳＩＢ１２により警報メッセージ１〜警報メッセージ４の４種類の警報メッセージが送信される。
【０１１１】
基地局装置８００の制御部８０１は、警報メッセージ２、警報メッセージ４、警報メッセージ１、警報メッセージ２、・・・の順番で警報メッセージ格納部１０１から警報メッセージを取り出す。この際、制御部８０１は、取り出したこられの警報メッセージを出力する前に、ダミー警報メッセージの出力をダミー警報メッセージ生成部８０２に指示する。これにより、基地局装置８００は、警報メッセージ２、ダミー警報メッセージ、警報メッセージ４、警報メッセージ１、警報メッセージ２、・・・の順番で送信する（ステップＳＴ９０１〜ステップＳＴ９１２）。
【０１１２】
ここで、ステップＳＴ９０２においてダミー警報メッセージの送信を開始してからステップＳＴ９０６においてメッセージ３の送信が終了するまで、及びステップＳＴ９０７においてダミー警報メッセージの送信を開始してからステップＳＴ９１１においてメッセージ４の送信が終了するまでが１送信周期Ｔ４である。
【０１１３】
通信端末装置２００の報知情報受信部２０４は、ステップＳＴ９０１〜ステップＳＴ９０６において送信された警報メッセージの取得を試み、警報メッセージ２、ダミー警報メッセージ、警報メッセージ４、警報メッセージ１及び警報メッセージ２を取得する（ステップＳＴ９１３〜ステップＳＴ９１７）。この際、通信端末装置２００の制御部２０６は、ステップＳＴ９１４においてダミー警報メッセージを取得することにより、送信周期Ｔ４の先頭であることを認識することができる。
【０１１４】
続いて、報知情報受信部２０４は、ステップＳＴ９０７において送信された警報メッセージの取得を試み、ダミー警報メッセージの取得に成功する（ステップＳＴ９１８）。この際、制御部２０６は、ダミー警報メッセージを取得したことにより、送信周期Ｔ４の先頭であることを認識することができる。
【０１１５】
しかしながら、制御部２０６は、ステップＳＴ９１４から１送信周期Ｔ４経過する間において、欠落した警報メッセージ（ステップＳＴ９０６で送信された警報メッセージ３）があるので、報知情報受信部２０４に警報メッセージの取得を継続させる。
【０１１６】
続いて、報知情報受信部２０４は、ステップＳＴ９０８〜ステップＳＴ９１２において送信された警報メッセージの取得を試み、警報メッセージ２、警報メッセージ３、警報メッセージ１、警報メッセージ４、ダミー警報メッセージの順番で順次取得する（ステップＳＴ９１９〜ステップＳＴ９２３）。
【０１１７】
この際、制御部２０６は、ステップＳＴ９２３においてダミー警報メッセージを取得することにより、送信周期Ｔ４の先頭であることを認識することができる。
【０１１８】
そして、制御部２０６は、ステップＳＴ９１８から１送信周期Ｔ４経過する間において、欠落した警報メッセージがないので、全ての種類の警報メッセージを取得したことを認識することができる。
【０１１９】
従って、制御部２０６は、ＳＩＢ１２の取得を停止するように報知情報受信部２０４に指示する（ステップＳＴ９２４）。
【０１２０】
＜本実施の形態の効果＞
本実施の形態によれば、各送信周期において警報メッセージを送信する前にダミー警報メッセージを送信することにより、配信されている全ての種類の警報メッセージの取得が完了したか否かを受信側において判断することができるので、受信側の電池の消費量を抑制することができる。
【０１２１】
また、本実施の形態によれば、警報メッセージと同一フォーマットのダミー警報メッセージを送信するので、送信周期を通知することに伴うシステムの変更等を最小限にすることができ、システムの構築に伴う製造コストの増大を抑制することができる。
【０１２２】
（実施の形態４）
＜基地局装置の構成＞
図１０は、本発明の実施の形態４に係る基地局装置１０００の構成を示すブロック図である。
【０１２３】
図１０に示す基地局装置１０００は、図１に示す実施の形態１に係る基地局装置１００に対して、調整部１０２を除き、リスト格納部１００２を追加し、制御部１０３の代わりに制御部１００１を有する。なお、図１０において、図１と同一構成である部分には同一の符号を付してその説明を省略する。
【０１２４】
警報メッセージ発行部１０７０は、警報メッセージ格納部１０１、警報メッセージ分割部１０５及び制御部１００１を有し、警報メッセージを発行する。
【０１２５】
制御部１００１は、新たな情報を配信する際に、ページングメッセージの発行をページングメッセージ発行部１０４に要求する。制御部１００１は、警報メッセージ格納部１０１に格納されている警報メッセージを１つずつ取り出す。制御部１００１は、取り出した警報メッセージのサイズに応じて警報メッセージを分割するか否かを判定する。制御部１００１は、分割すると判定した場合には、取り出した警報メッセージを警報メッセージ分割部１０５に出力する。制御部１００１は、分割しないと判定した場合には、取り出した警報メッセージを報知情報送信部１０６に出力する。
【０１２６】
制御部１００１は、警報メッセージ格納部１０１から警報メッセージを取り出す毎に、リスト格納部１００２からリストを取り出す。制御部１００１は、警報メッセージを分割しない場合には、取り出したリストを警報メッセージに付与し、リストを付与した警報メッセージを報知情報送信部１０６に出力する。制御部１００１は、警報メッセージを分割する場合には、警報メッセージと共に取り出したリストを警報メッセージ分割部１０５に出力する。
【０１２７】
制御部１００１は、警報メッセージ格納部１０１に格納されている警報メッセージを繰り返し取り出して、上記の処理を繰り返し行う。
【０１２８】
ページングメッセージ発行部１０４は、制御部１００１の要求に応じて、警報メッセージの配信を示すフラグ（cmas-Indication）を設定したページングメッセージを送信部１０７に出力する。
【０１２９】
リスト格納部１００２は、送信する警報メッセージの全種類を記したリストを予め格納している。
【０１３０】
警報メッセージ分割部１０５は、制御部１００１から入力した警報メッセージを分割して報知情報送信部１０６に出力する。この際、警報メッセージ分割部１０５は、分割した各警報メッセージに対して、制御部１００１から入力したリストを付与する。なお、本実施の形態における以下の説明において、分割してない警報メッセージと分割した警報メッセージの双方を単に「警報メッセージ」と記載する。
【０１３１】
報知情報送信部１０６は、制御部１００１から入力した警報メッセージまたは警報メッセージ分割部１０５から入力した警報メッセージを含むＳＩＢ１２を生成し、生成したＳＩＢ１２を送信部１０７に出力する。
【０１３２】
＜基地局装置及び通信端末装置の動作＞
図１１は、基地局装置１０００及び通信端末装置２００の動作を示す図である。なお、図１１において、基地局装置１０００をｅＮＢと記載し、通信端末装置２００をＵＥと記載する。また、通信端末装置２００の説明は図２の符号を用いて行う。また、図１１において、図３と同一動作である部分には同一符号を付して、その説明を省略する。
【０１３３】
図１１の場合、ＳＩＢ１２により警報メッセージ１〜警報メッセージ４の４種類の警報メッセージが送信される。
【０１３４】
基地局装置１０００の制御部１００１は、警報メッセージ２、警報メッセージ３、警報メッセージ４、警報メッセージ１、・・・の順番で警報メッセージ格納部１０１から警報メッセージを取り出す。これにより、基地局装置１０００は、警報メッセージ２、警報メッセージ３、警報メッセージ４、警報メッセージ１、・・・の順番で送信する（ステップＳＴ１１０１〜ステップＳＴ１１０５）。
【０１３５】
ここで、ステップＳＴ１１０１において警報メッセージ２の送信を開始してからステップＳＴ１１０４においてメッセージ１の送信が終了するまでが１送信周期Ｔ５である。
【０１３６】
通信端末装置２００の報知情報受信部２０４は、ステップＳＴ１１０１〜ステップＳＴ１１０５において送信された警報メッセージの取得を試み、警報メッセージ２、警報メッセージ３、警報メッセージ４、警報メッセージ１及び警報メッセージ２を取得する（ステップＳＴ１１０６〜ステップＳＴ１１１０）。この際、報知情報受信部２０４は、各警報メッセージに付与されているリストを取得する。従って、通信端末装置２００の制御部２０６は、ステップＳＴ１１０６で警報メッセージ２を取得した際に、基地局装置１０００より送信される全ての種類の警報メッセージを認識することができる。
【０１３７】
制御部２０６は、取得したリストをチェックし（Check if the UE has received all of message from msgList）（ステップＳＴ１１１１及びステップＳＴ１１１２）、ステップＳＴ１１０９において全ての種類の警報メッセージを取得したことを認識することができる。
【０１３８】
これにより、制御部２０６は、ＳＩＢ１２の取得を停止するように報知情報受信部２０４に指示する（ステップＳＴ１１１３）。
【０１３９】
＜本実施の形態の効果＞
本実施の形態によれば、送信する全ての種類の警報メッセージを記したリストを、送信する各警報メッセージに付与することにより、送信されている全ての警報メッセージの取得が完了したか否かを受信側において判断することができるので、受信側の電池の消費量を抑制することができる。
【０１４０】
また、本実施の形態によれば、全ての警報メッセージにリストを付与するので、一部の警報メッセージの取得に失敗しても、全ての種類の警報メッセージの取得が完了したか否かを受信側において確実に判断することができる。
【０１４１】
（実施の形態５）
＜基地局装置及び通信端末装置の動作＞
図１２は、本発明の実施の形態５における基地局装置１００及び通信端末装置２００の動作を示す図である。なお、本実施の形態において、基地局装置１００は図１と同一構成であり、通信端末装置２００は図２と同一構成であるので、その説明を省略する。また、基地局装置１００の説明は図１の符号を用いるとともに、通信端末装置２００の説明は図２の符号を用いて行う。また、図１２において、図３と同一動作である部分については同一の符号を付して、その説明を省略する。
【０１４２】
ステップＳＴ３１４でＳＩＢ１２の取得を停止した後、報知している一連の情報の追加または更新がなされた場合には（Adding CMAS Warning message）（ステップＳＴ１２０１）、基地局装置１００の制御部１０３は、ページングメッセージの発行をページングメッセージ発行部１０４に要求する。これにより、ページングメッセージ発行部１０４は、ページングメッセージを発行し、基地局装置１００は、ページングメッセージを送信する（Paging（cmas-Indication））（ステップＳＴ１２０２）。
【０１４３】
通信端末装置２００は、ページングメッセージを受信し、通信端末装置２００のページングメッセージ受信部２０３は、ページングメッセージを取得したことを通信端末装置２００の制御部２０６に通知する。これにより、制御部２０６は、ステップＳＴ３１４においてＳＩＢ１２の取得を停止した報知情報受信部２０４に対して、ＳＩＢ１２の取得の開始を指示し、報知情報受信部２０４は、ＳＩＢ１２の取得を再び開始する（Start receiving Warning message）（ステップＳＴ１２０３）。
【０１４４】
次に、基地局装置１００は、警報メッセージ３、警報メッセージ５（Warning message 5）・・・と順次送信する（ステップＳＴ１２０４及びステップＳＴ１２０５）。ここで、警報メッセージ５は、追加または更新された情報を報知するための警報メッセージである。
【０１４５】
そして、通信端末装置２００は、ステップＳＴ１２０４及びステップＳＴ１２０５で送信された警報メッセージ３及び警報メッセージ５を順次受信する（ステップＳＴ１２０６及びステップＳＴ１２０７）。これにより、通信端末装置２００は、ステップＳＴ１２０７において、追加または更新された警報メッセージ５を取得することができる。
【０１４６】
＜本実施の形態の効果＞
本実施の形態によれば、上記の実施の形態１の効果に加えて、通信端末装置はＳＩＢ１２の取得を停止している場合であっても、情報の追加または更新がなされた場合にはＳＩＢ１２の取得を開始するので、全ての情報を確実に取得することができる。
【０１４７】
＜本実施の形態の変形例＞
本実施の形態において、実施の形態１の基地局装置及び通信端末装置に適用したが、本発明はこれに限らず、実施の形態２〜実施の形態４の基地局装置及び通信端末装置にも適用することができる。
【０１４８】
＜全ての実施の形態に共通の変形例＞
上記の実施の形態１〜実施の形態５において、警報メッセージを送信する場合について説明したが、本発明はこれに限らず、警報メッセージ以外の任意の報知メッセージを送信する場合にも適用できる。
【産業上の利用可能性】
【０１４９】
本発明にかかる基地局装置、通信端末装置、報知方法及び受信方法は、例えば３ＧＰＰで標準化されているＣＭＡＳに適用するのに好適である。
【符号の説明】
【０１５０】
１００  基地局装置
１０１  警報メッセージ格納部
１０２  調整部
１０３  制御部
１０４  ページングメッセージ発行部
１０５  警報メッセージ分割部
１０６  報知情報送信部
１０７  送信部
１０８  アンテナ
１５０  警報メッセージ配信装置
１６０  交換局装置
１７０  警報メッセージ発行部
【要約】
【課題】配信されている全ての種類の警報メッセージの受信が完了したか否かを受信側において判断し、受信側の電池の消費量を抑制すること。
【解決手段】基地局装置１００は、複数種類の報知メッセージを用いて一連の情報を送信する。送信部１０７は、所定の送信周期で複数種類の報知メッセージを繰り返し送信する。制御部１０３は、送信部１０７により送信する複数種類の報知メッセージにおける各種類の報知メッセージの送信順序が送信周期の各々において同一になるように制御する。
【選択図】図１【図１】
0005132803.tif 000002
【図２】
0005132803.tif 000003
【図３】
0005132803.tif 000004
【図４】
0005132803.tif 000005
【図５】
0005132803.tif 000006
【図６】
0005132803.tif 000007
【図７】
0005132803.tif 000008
【図８】
0005132803.tif 000009
【図９】
0005132803.tif 000010
【図１０】
0005132803.tif 000011
【図１１】
0005132803.tif 000012
【図１２】
0005132803.tif 000013